(57)【要約】      （修正有）【課題】予め決めた覚え易い仮パスワードに基づき本パスワードを設定することが可能なパスワード設定方法を提供する。【解決手段】第１乱数表１０は、横辺の０以上の横番号１０aと、縦辺の０以上の縦番号１０bが付され、横番号１０aと縦番号１０bに対応する行列の各行と各列に、数字と英文字の乱数を含む文字集合１０cを有する。個人情報番号により、第１乱数表１０の横番号１０aと縦番号１０bの交差部を特定する。この特定された交差部から、横辺に０〜９の主番号１１aと、縦辺に０〜９の従番号１１bを設定し、これを第２乱数表１１として抽出する。抽出された第２乱数表１１において、個人情報番号に関連する一桁の任意番号から従番号１１bを特定し、予め決めたｎ桁の仮パスワードからｎ個の主番号１１aを特定する。この特定された従番号１１bとｎ個の主番号１１aのｎ個の交差部から、文字集合１０cの列を特定し、本パスワードにする。【選択図】図２
2017156933.tif 000002
【特許請求の範囲】
【請求項１】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した前記第１乱数表の前記横番号と前記縦番号のそれぞれを個人情報番号にて特定し、この特定された前記横番号と前記縦番号の交差部より横辺に０〜９の主番号を設定し、縦辺に０〜９の従番号を設定してなる第２乱数表を前記第１乱数表より抽出し、
前記第２乱数表の前記従番号に前記個人情報番号に関連する一桁の任意番号と、前記主番号に予め決めた覚え易い仮パスワードとを入力して、前記従番号による選択対象の０〜９を含む前記文字集合の行と、前記主番号による選択対象の０〜９を含む前記文字集合の列との交差部を実行用の本パスワードにすることを特徴とする情報処理端末用のパスワード設定方法。
【請求項２】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを個人情報番号にて特定し、この特定した前記横番号と前記縦番号の交差部より横辺に０〜９の主番号を設定し、縦辺に０〜９の従番号を設定してなる第２乱数表を前記第１乱数表より抽出し、
前記第２乱数表に予め決めた覚え易い仮パスワードを入力して前記第２乱数表の前記主番号を特定するとともに、十二桁の前記マイナンバーを入力し、このマイナンバーの一桁毎を前記主番号の文字集合の縦列より検索し、前記主番号の縦列との交差部になる前記従番号を特定し、実行用の本パスワードとして前記記憶部に記憶することを特徴とする情報処理端末用のパスワード設定方法。
【発明の詳細な説明】
【技術分野】
【０００１】
この発明は、予め決めている覚え易い仮パスワードの情報に基づき実行用のパスワードを変換する情報処理端末のパスワード設定方法に関する。
【背景技術】
【０００２】
従来、金融システムなどにおいては、特許文献１のようなキャッシュカード、クレジットカードなどにパスワードを設定し、キャッシュカード、クレジットカードなどの紛失や盗難による不正利用を抑えるようにしている。
【０００３】
また、インターネットバンキングなどの本人確認のシステムにおいては、特許文献２のような覚え易いマトリックスのセルの並びに対応するマトリックスの記号例を携帯電話などの携帯端末に入力したワンタイムパスワードにより、本人の確認を行い本人データの紛失や盗難による不正利用を最小限に抑えることを可能にしている。
【先行技術文献】
【特許文献】
【０００４】
【特許文献１】特開２００６−３３１３７４号公報
【特許文献２】特開２００６−３０１６８４号公報
【発明の概要】
【発明が解決しようとする課題】
【０００５】
ところで、キャッシュカード、クレジットカードなどのパスワードの設定は、設定したパスワードを忘れることがあるために、生年月日、電話番号、住所などと関連づけて設定していることがある。また、同一のパスワードを流用して使用することも少なくない。
【０００６】
このため、例えばキャッシュカード、クレジットカードなどと一緒に、運転免許証や名刺などもバックや鞄に入れていることがあり、このバックや鞄が盗まれることがあると、運転免許証や名刺などから生年月日、電話番号、住所などを知ることができ、容易にパスワードが解り不正利用される虞がある。
【０００７】
また、政府により各個人に割り当てられる固有の識別番号を示すマイナンバー制度の運用が開始されることが検討されている。そして、マイナンバーは、年金や保険料、所得税などと対応付けて行政機関にて管理される。ユーザは、自身のマイナンバーに対応する年金、保険料、所得税などを一括で確認できるようになっているが、このマイナンバーは十二文字あり、マイナンバーを記憶しておくのは困難であり、手帳等に書き出して持ち歩く事も、安全性に問題がある。
【０００８】
そこで、この発明は、このような従来技術の問題点を解消するべく案出されたものであり、キャッシュカードやクレジットカードなどの個人情報番号と、予め決めた覚え易い仮パスワードとを用いて、予め決めた覚え易い仮パスワードより実行用の本パスワードに設定することが可能な情報処理端末用のパスワード設定方法を提供することを目的とする。
【課題を解決するための手段】
【０００９】
前記課題を解決し、かつ目的を達成するために、この発明は、以下のように構成した。
【００１０】
請求項１に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した前記第１乱数表の前記横番号と前記縦番号のそれぞれを個人情報番号にて特定し、この特定された前記横番号と前記縦番号の交差部より横辺に０〜９の主番号を設定し、縦辺に０〜９の従番号を設定してなる第２乱数表を前記第１乱数表より抽出し、
前記第２乱数表の前記従番号に前記個人情報番号に関連する一桁の任意番号と、前記主番号に予め決めた覚え易い仮パスワードとを入力して、
前記従番号による選択対象の０〜９を含む前記文字集合の行と、前記主番号による選択対象の０〜９を含む前記文字集合の列との交差部を実行用の本パスワードにすることを特徴とする情報処理端末用のパスワード設定方法である。
【００１１】
請求項２に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを個人情報番号にて特定し、この特定した前記横番号と前記縦番号の交差部より横辺に０〜９の主番号を設定し、縦辺に０〜９の従番号を設定してなる第２乱数表を第１乱数表より抽出し、
この第２乱数表に予め決めた覚え易い仮パスワードを入力し、前記第２乱数表の前記主番号を特定するとともに、十二桁の前記マイナンバーを入力し、このマイナンバーの一桁毎を前記主番号の文字集合の縦列より検索し、前記主番号の縦列との交差部になる前記従番号を特定し、実行用の本パスワードとして前記記憶部に記憶することを特徴とする情報処理端末用のパスワード設定方法である。
【発明の効果】
【００１２】
前記構成により、この発明は、以下のような効果を有する。
【００１３】
この発明では、情報処理端末に内蔵するコンピュータシステムのデータ処理部の編集機能により作成し、前記コンピュータシステムの記憶部に記憶してなる第１乱数表に個人情報番号を特定して第２乱数表を抽出し、この第２乱数表に前記個人情報番号に関連する一桁の任意番号と、予め決めた覚え易い仮パスワードとを入力して、前記仮パスワードを実行用の本パスワードに変換するので、第１乱数表より抽出される第２乱数表を第三者が抽出することは難しく、しかも、本パスワードが簡単に解明されることがなく、キャッシュカード、クレジットカードなどが紛失や盗難によって不正利用されることを防止することができる。
【００１４】
また、本パスワードの更新が定期的に要求されても、簡単に更新をすることができ、しかも、更新後の本パスワードが更新前のものと類似しないことを要求されても、容易に本パスワードの変更でき、結果的に情報の安全性が向上する。
【００１５】
さらに、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを個人情報番号にて特定し、この特定した前記横番号と前記縦番号の交差部より横辺に０〜９の主番号を設定し、縦辺に０〜９の従番号を設定してなる第２乱数表を第１乱数表より抽出し、
前記第２乱数表に予め決めた覚え易い仮パスワードを入力し、前記第２乱数表の前記主番号を特定するとともに、十二桁の前記マイナンバーを入力し、このマイナンバーの一桁毎を前記主番号の文字集合の縦列より検索し、前記主番号の縦列との交差部になる前記従番号を特定し、実行用の本パスワードとして前記記憶部に記憶するので、第１乱数表より抽出される第２乱数表を第三者が抽出することは難しいとともに、本パスワードが簡単に解読されることがなく、紛失した手帳やメモを他人に見られて悪用されたりする不都合が軽減され、情報の安全を確保することができ、しかも、長いマイナンバーを覚えたり手帳にメモして持ち歩いたりする必要がなくなる。
【図面の簡単な説明】
【００１６】
【図１】この発明によるコンピュタシステムのブロック図である。
【図２】この発明によるパスワード設定方法の第１乱数表（a）と第２乱数表（b）である。
【図３】この発明のパスワード設定方法の第１実施態様を示すフローチャートである。
【図４】この発明のパスワード設定方法の第２実施態様を示すフローチャートである。
【発明を実施するための形態】
【００１７】
以下、この発明のパスワードの設定方法の実施の形態について説明する。
この発明の実施の形態は、発明の最も好ましい形態を示すものであり、この発明はこれに限定されない。
【００１８】
図１は、この発明のパスワード設定方法がインストールされた情報処理端末などに内蔵されたコンピュータシステムの実施態様を示す。このコンピュータシステム（ＣＰＵ）１は、制御部３、演算部４、記憶部５及びＩ／Ｏ６がバスラインを介して接続されたデータ処理部２を備え、このデータ処理部２のＩ／Ｏ６の入力側には、キーボードなどの入力部７が接続されており、Ｉ／Ｏ６の出力側には、ＣＲＴ（液晶デイスプレイを含む）からなる表示部８、さらに外部通信回線９が接続される。
【００１９】
図２の（a）は、この発明の各実施の形態で使われるパスワード設定方法のための第１乱数表１０で、方形に構成され、いずれかの横辺に０〜９以上の横番号１０aと、いずれかの縦辺に０〜９以上の縦番号１０bが付される。
【００２０】
そして、前記横番号１０aと前記縦番号１０bとに対応する行列の各行と各列に、０〜９の数字のいずれかと適宜な英文字の組合せの０〜９を含む文字列を乱数的に配置した文字集合１０cを有する。
【００２１】
前記第１乱数表１０は、情報処理端末に内蔵する前記コンピュータシステム１の前記テータ処理部２の編集機能により作成し、前記コンピュータシステム１の記憶部５に記憶する。
【００２２】
図２の（b）の符号１１は前記第１乱数表１０より抽出した第２乱数表で、この第２乱数表１１は前記第１乱数表１０の前記横番号１０aと前記縦番号１０bのそれぞれを個人情報番号にて特定し、この特定した前記横番号１０aと前記縦番号１０bの交差部より横辺に０〜９の主番号１１aを設定し、縦辺に０〜９の従番号１１bを設定した構成にする。
【００２３】
また、前記第２乱数表１１には、前記第１乱数表１０より切り取った前記文字集合１０cが前記主番号１１aと前記従番号１１bに沿うように配置されることになる。
【００２４】
なお、前記個人情報番号は、例えば、クレジットカード、キャッシュカードの銀行口座×○△□に関連する先頭桁や末尾桁、又は個人に関連する固定の数桁の数字にする。前記第２乱数表１１を抽出する際の前記個人情報番号は前記コンピュータシステム１の前記記憶部５に蓄積されるようにする。
【００２５】
このパスワード設定方法では、前記個人情報番号に関連する一桁を任意番号と決め、この任意番号が「１」ならば前記従番号１１bを「１」とし、この前記従番号１１bによって前記第２乱数表１１の０〜９を含む文字列を選択対象とする。
【００２６】
次に、予め決めた覚え易い仮パスワードを例えば「１２３４」に決め、これを前記主番号１１aとし、この主番号１１aによって前記文字集合１０cの０〜９を含む文字列を選択対象と定める。
【００２７】
そして、前記従番号１１bによる選択対象の０〜９を含む文字列と、前記主番号１１aによる対象の０〜９を含む文字列との交差部によって、予め決めた覚え易い前記仮パスワードから実行用の本パスワードに変換することができる。
なお、前記本パスワードは、数字のみでもよく、数字と文字の組み合わせでもよい。
【００２８】
この実行用の前記本パスワードにすれば、生年月日、電話番号、住所などを使うことがないので、容易に本パスワードが解ることがなくなり、キャッシュカード、クレジットカードなどが紛失や盗難によって不正利用されることを防止することができる。
【００２９】
ここで、図３のパスワード設定方法のフローチャートに基づいて第１の実施の形態を説明する。
【００３０】
最初に、０〜９以上の行列の各行と各列に、０〜９の数字のいずれかと適宜な英文字の組合せの０〜９を含む文字列を乱数的に配置した文字集合１０cを有する第１乱数表１０を作成する（Ｎ１）。
【００３１】
次に、個人情報番号により前記第１乱数表１０の前記横番号１０aと前記縦番号１０bのそれぞれを特定する。この特定した前記横番号１０aと前記縦番号１０bは、前記コンピュータシステム１の前記記憶部５に蓄積する（Ｎ２）。
【００３２】
そして、特定された前記横番号１０aと縦番号１０bの交差部より横辺に０〜９の主番号１１aを設定し、縦辺に０〜９の従番号１１bを設定してなる第２乱数表１１を前記第１乱数表１０より抽出する（Ｎ３）。
【００３３】
つづいて、前記個人情報番号に関連する一桁を任意番号と決め、前記第２乱数表１１の前記従番号１１bを特定する（Ｎ４）。
【００３４】
さらに、予め決めている覚え易い数桁の仮パスワードを入力して、この仮パスワードのｎ桁目の数値をもとに、前記第２乱数表１１の前記主番号１１aを特定する（Ｎ５）。
【００３５】
これにより、前記第２乱数表１１の行列において、前記主番号１１aの並びと、前記従番号１１bの並びの交差部の数値を、得られた実行用の本パスワードのｎ桁目とする（Ｎ６）。
【００３６】
こうして、予め決めている覚え易い前記仮パスワードの最終桁まで処理する（Ｎ７）。
【００３７】
しかし、最終桁に至らない場合は、前記仮パスワードの次の桁について処理する（Ｎ８）。
【００３８】
このように、予め決めている覚え易い前記仮パスワードの最終桁を処理すると、実行用の前記本パスワードに変換される（Ｎ９）。なお、本パスワードのうち、アルファベットが必要ならば追加する。
【００３９】
このパスワード設定方法において、定期的に本パスワードの更新が要求される場合、前記本パスワードの更新機能を有する前記データ処理部２により、前記第２乱数表１１を抽出するために使用した前記第１乱数表１０の前記横番号１０aと前記縦番号１０bが、すでに前記記憶部５に蓄積されているか否かを判定する。
【００４０】
そして、前記横番号１０aと前記縦番号１０bがすでにある場合は、前記個人情報番号より新たに横番号１０aと縦番号１０bを決め、前記第１乱数表１０の前記横番号１０aと前記縦番号１０bを特定し、新しい第２乱数表１１を抽出する。
【００４１】
この新たな前記第２乱数表１１の前記従番号１１bに個人情報番号に関連する一桁の任意番号と、前記主番号１１aに予め決めた覚え易い仮パスワードとを入力して、前記従番号１１bによる選択対象の０〜９を含む前記文字集合の行と、前記主番号１１aによる選択対象の０〜９を含む前記文字集合の列との交差部を実行用の本パスワードに変換する。
【００４２】
次に、第２の実施の形態では、政府により運用が開始されるマイナンバー制度に基づく十二文字のマイナンバーに本パスワードを設定する方法について説明する。なお、この実施の形態において第１の実施の形態と同じ場合は同一の符号を付して説明する。
【００４３】
ここで、図４のパスワード設定方法のフローチャートに基づいて第２の実施の形態を説明する。このパスワード設定方法では、対象のマイナンバーに基づき本パスワードを決める。
【００４４】
第１の実施の態様と同じように、０〜９以上の行列の各行と各列に、０〜９に適宜な英文字を含む文字列を乱数的に配置した文字集合を行列の前記第1乱数表１０を前記コンピュータシステム１の前記データ処理部２の編集機能のより作成し、前記コンピュータシステム１の前記記憶部５に記憶しておく（Ｍ１）。
【００４５】
次に、クレジットカード、キャッシュカードなどの個人情報番号により前記第１乱数表１０の前記横番号１０aと前記縦番号１０bのそれぞれを特定する。この特定した前記横番号１０aと前記縦番号１０bは、前記コンピュータシステム１の前記記憶部５に蓄積する（Ｍ２）。
【００４６】
つづいて、特定された前記横番号１０aと縦番号１０bの交差部より横辺に０〜９の主番号１１aを設定し、縦辺に０〜９の従番号１１bを設定して第２乱数表１１を前記第１乱数表１０より抽出する（Ｍ３）。
【００４７】
そして、予め決めている覚え易い仮パスワードを入力して、この仮パスワードのｎ桁目の数値をもとに、前記主番号１１aを特定する（Ｍ４）。
【００４８】
次に、十二桁のマイナンバーを入力し、このマイナンバーの一桁毎を特定した前記主番号１１aの前記文字集合１０cの縦列より検索する（Ｍ５）。
【００４９】
前記主番号１１aの並びと、前記マイナンバーの十二桁のｎ=１の時：一〜三桁、ｎ=２の時：四〜六桁、ｎ=３の時：七〜九桁、ｎ=４の時：十〜十二桁、の各桁の数値を前記従番号１１bとする並びの交差部の数値を本パスワードのｎ番目とする（Ｍ６）。
【００５０】
こうして、予め決めている覚え易い前記仮パスワードの最終桁まで処理する（Ｍ７）。
【００５１】
しかし、最終桁に至らない場合は、前記仮パスワードの次の桁について処理する（Ｍ８）。
【００５２】
このように、予め決めている覚え易い前記仮パスワードの最終桁を処理すると、前記マイナンバーを実行用の前記本パスワードとして変換し、前記記憶部５に記憶する（Ｍ９）。
【００５３】
この発明の第２実施の態様で設定された前記本パスワードの利用する場合は、
すでに記憶されている前記横番号１０aと前記縦番号１０bを入力し、対応する前記第２乱数表１１を前記記憶部５より抽出する。
【００５４】
そして、前記記憶部５に記憶していた前記本パスワード十二桁を取出すとともに、予め決めている覚え易い前記仮パスワードを入力して、この仮パスワードのｎ桁目の数値をもとに、前記主番号１１aを特定する。
【００５５】
次に、前記主番号１１aの並びと、前記本パスワード十二桁のｎ=１の時：一〜三桁、ｎ=２の時：四〜六桁、ｎ=３の時：七〜九桁、ｎ=４の時：十〜十二桁、の各桁の数値を前記従番号１１bとする並びの交差部の数値を前記マイナンバーのｎ番目とする。
【００５６】
こうして、予め決めている覚え易い前記仮パスワードの最終桁まで処理し、前記マイナンバーを前記コンピュータシステム１の表示部８に出力する。
【００５７】
以上の発明における情報処理端末用のパスワード設定方法では、情報処理端末に内蔵する前記コンピュータシステム１の前記データ処理部２の編集機能により作成し、前記コンピュータシステム１の前記記憶部５に記憶してなる前記第１乱数表１０に個人情報番号を特定して前記第２乱数表１１を抽出するので、前記第１乱数表１０より抽出される前記第２乱数表１１を第三者が抽出することは難しく、しかも、前記第２乱数表１１の抽出が簡単で、本パスワードの更新が定期的に要求されても、容易に更新をすることができる。
【００５８】
また、前記第２乱数表１１に前記個人情報番号に関連する一桁の任意番号と、予め決めた覚え易い前記仮パスワードとを入力して、前記従番号１１bによる選択対象の０〜９を含む前記文字集合１０cの行と、前記主番号１１aによる選択対象の０〜９を含む前記文字集合１０cの列との交差部を実行用の前記本パスワードに変換するので、前記本パスワードが簡単に解読されることがなく、キャッシュカード、クレジットカードなどが紛失や盗難によって不正利用されることを防止することができ、結果的に情報の安全性が向上する。
【００５９】
さらに、前記第１乱数表１０より抽出した前記第２乱数表１１に予め決めた覚え易い前記仮パスワードを入力し、前記第２乱数表１１の前記主番号１１aを特定するとともに、十二桁の前記マイナンバーを入力し、このマイナンバーの一桁毎を前記主番号１１aの文字集合の縦列より検索し、前記主番号１１aの縦列との交差部になる前記従番号１１bを特定し、実行用の前記本パスワードとして前記記憶部５に記憶するので、前記本パスワードが簡単に解明されることがなく、紛失した手帳やメモを他人に見られて悪用されたりする不都合が軽減され、情報の安全を確保することができ、しかも、長いマイナンバーを覚えたり手帳にメモして持ち歩いたりする必要がなくなる。
【産業上の利用可能性】
【００６０】
この発明は、予め決めている覚え易い仮パスワードに基づき実行用の本パスワードを設定することが可能であり、キャッシュカード、クレジットカードなどのパスワードやマイナンバーが不正利用されることを防止することができる。
【符号の説明】
【００６１】
１      コンピュータシステム
２      データ処理部
３      制御部
４      演算部
５      記憶部
６      Ｉ/Ｏ
７      キーボード
８      表示部
９      通信回線
１０    第１乱数表
１０a    横番号
１０b    縦番号
１０c    文字集合
１１    第２乱数表
１１a    主番号
１１b    従番号
【図１】
2017156933.tif 000003
【図２】
2017156933.tif 000004
【図３】
2017156933.tif 000005
【図４】
2017156933.tif 000006
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した前記第１乱数表の前記横番号と前記縦番号のそれぞれを数桁よりなる個人情報番号にて特定し、この特定された前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表の前記従番号に前記個人情報番号に関連する一桁の任意番号と、前記主番号に予め決めた覚え易い数桁の仮パスワードとを入力して、前記従番号による選択対象の０〜９を含む前記文字集合の行と、前記主番号による選択対象の０〜９を含む前記文字集合の列との交差部を実行用の本パスワードにすることを特徴とする情報処理端末用のパスワード設定方法。
【請求項２】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、これを実行用の本パスワードとして前記記憶部に記憶することを特徴とする情報処理端末用のパスワード設定方法。
【手続補正２】
【補正対象書類名】明細書
【補正対象項目名】００１０
【補正方法】変更
【補正の内容】
【００１０】
請求項１に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した前記第１乱数表の前記横番号と前記縦番号のそれぞれを数桁よりなる個人情報番号にて特定し、この特定された前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表の前記従番号に前記個人情報番号に関連する一桁の任意番号と、前記主番号に予め決めた覚え易い数桁の仮パスワードとを入力して、前記従番号による選択対象の０〜９を含む前記文字集合の行と、前記主番号による選択対象の０〜９を含む前記文字集合の列との交差部を実行用の本パスワードにすることを特徴とする情報処理端末用のパスワード設定方法である。
【手続補正３】
【補正対象書類名】明細書
【補正対象項目名】００１１
【補正方法】変更
【補正の内容】
【００１１】
請求項２に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、これを実行用の本パスワードとして前記記憶部に記憶することを特徴とする情報処理端末用のパスワード設定方法である。
【手続補正４】
【補正対象書類名】明細書
【補正対象項目名】００１３
【補正方法】変更
【補正の内容】
【００１３】
この発明では、情報処理端末に内蔵するコンピュータシステムのデータ処理部の編集機能により作成し、前記コンピュータシステムの記憶部に記憶してなる第１乱数表に個人情報番号を特定して第２乱数表を抽出するとともに、前記個人情報番号にて特定した前記横番号と前記縦番号は前記コンピュータシステムの前記記憶部に蓄積し、
前記第２乱数表に前記個人情報番号に関連する一桁の任意番号と、予め決めた覚え易い仮パスワードとを入力して、前記仮パスワードを実行用の本パスワードに変換するので、第１乱数表より抽出される第２乱数表を第三者が抽出することは難しく、しかも、本パスワードが簡単に解明されることがなく、キャッシュカード、クレジットカードなどが紛失や盗難によって不正利用されることを防止することができる。
【手続補正５】
【補正対象書類名】明細書
【補正対象項目名】００１４
【補正方法】変更
【補正の内容】
【００１４】
また、前記個人情報番号にて特定した前記横番号と前記縦番号を前記コンピュータシステムの前記記憶部に蓄積することにより、本パスワードの更新が定期的に要求されても、簡単に更新をすることができ、しかも、更新後の本パスワードが更新前のものと類似しないことを要求されても、容易に本パスワードの変更でき、結果的に情報の安全性が向上する。
【手続補正６】
【補正対象書類名】明細書
【補正対象項目名】００１５
【補正方法】変更
【補正の内容】
【００１５】
さらに、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、
実行用の本パスワードとして前記記憶部に記憶するので、第１乱数表より抽出される第２乱数表を第三者が抽出することは難しいとともに、本パスワードが簡単に解読されることがなく、紛失した手帳やメモを他人に見られて悪用されたりする不都合が軽減され、情報の安全を確保することができ、しかも、長いマイナンバーを覚えたり手帳にメモして持ち歩いたりする必要がなくなる。



【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した前記第１乱数表の前記横番号と前記縦番号のそれぞれを数桁よりなる個人情報番号にて特定し、この特定された前記横番号と前記縦番号の交差部より横辺に０〜９の主番号を設定し、縦辺に０〜９の従番号を設定してなる第２乱数表を前記第１乱数表より抽出するとともに、
前記個人情報番号より特定した前記横番号と前記縦番号とを前記コンピュータシステムの前記記憶部に蓄積し、
前記第２乱数表の前記従番号に前記個人情報番号に関連する一桁の任意番号と、前記主番号に予め決めた覚え易い数桁の仮パスワードとを入力して、前記従番号による選択対象の０〜９を含む前記文字集合の行と、前記主番号による選択対象の０〜９を含む前記文字集合の列との交差部を実行用の本パスワードにし、
さらに、前記記憶部に蓄積された前記横番号と前記縦番号の有無を判定して前記横番号と前記縦番号とは異なる横番号と縦番号により、前記第１乱数表から新たな更新用第２乱数表を抽出し、この更新用第２乱数表を基にして前記本パスワードを更新することを特徴とする情報処理端末用のパスワード設定方法。
【請求項２】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、これを実行用の本パスワードとして前記記憶部に記憶し、
さらに、すでに記憶されている前記横番号と前記縦番号を入力して前記記憶部より前記第２乱数表を抽出し、この第２乱数表に予め決めた覚え易い数桁の前記仮パスワードを入力して前記第２乱数表の前記主番号を特定するとともに、前記記憶部に記憶していた十二桁の前記本パスワードを入力し、この十二桁を複数に分けて、前記本パスワードの一桁毎を前記従番号に特定し、この従番号の横列と前記主番号の縦列との交差部の数値を前記マイナンバーとして前記コンピュータシステムの表示部に出力することを特徴とする情報処理端末用のパスワード設定方法。
【手続補正２】
【補正対象書類名】明細書
【補正対象項目名】００１０
【補正方法】変更
【補正の内容】
【００１０】
請求項１に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した前記第１乱数表の前記横番号と前記縦番号のそれぞれを数桁よりなる個人情報番号にて特定し、この特定された前記横番号と前記縦番号の交差部より横辺に０〜９の主番号を設定し、縦辺に０〜９の従番号を設定してなる第２乱数表を前記第１乱数表より抽出するとともに、
前記個人情報番号より特定した前記横番号と前記縦番号とを前記コンピュータシステムの前記記憶部に蓄積し、
前記第２乱数表の前記従番号に前記個人情報番号に関連する一桁の任意番号と、前記主番号に予め決めた覚え易い数桁の仮パスワードとを入力して、前記従番号による選択対象の０〜９を含む前記文字集合の行と、前記主番号による選択対象の０〜９を含む前記文字集合の列との交差部を実行用の本パスワードにし、
さらに、前記記憶部に蓄積された前記横番号と前記縦番号の有無を判定して前記横番号と前記縦番号とは異なる横番号と縦番号により、前記第１乱数表から新たな更新用第２乱数表を抽出し、この更新用第２乱数表を基にして前記本パスワードを更新することを特徴とする情報処理端末用のパスワード設定方法である。
【手続補正３】
【補正対象書類名】明細書
【補正対象項目名】００１１
【補正方法】変更
【補正の内容】
【００１１】
請求項２に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、これを実行用の本パスワードとして前記記憶部に記憶し、
さらに、すでに記憶されている前記横番号と前記縦番号を入力して前記記憶部より前記第２乱数表を抽出し、この第２乱数表に予め決めた覚え易い数桁の前記仮パスワードを入力して前記第２乱数表の前記主番号を特定するとともに、前記記憶部に記憶していた十二桁の前記本パスワードを入力し、この十二桁を複数に分けて、前記本パスワードの一桁毎を前記従番号に特定し、この従番号の横列と前記主番号の縦列との交差部の数値を前記マイナンバーとして前記コンピュータシステムの表示部に出力することを特徴とする情報処理端末用のパスワード設定方法である。
【手続補正４】
【補正対象書類名】明細書
【補正対象項目名】００１３
【補正方法】変更
【補正の内容】
【００１３】
この発明では、情報処理端末に内蔵するコンピュータシステムのデータ処理部の編集機能により作成し、前記コンピュータシステムの記憶部に記憶してなる第１乱数表に個人情報番号を特定して第２乱数表を抽出するとともに、前記個人情報番号にて特定した前記横番号と前記縦番号は前記コンピュータシステムの前記記憶部に蓄積し、
前記第２乱数表に前記個人情報番号に関連する一桁の任意番号と、予め決めた覚え易い仮パスワードとを入力して、前記仮パスワードを実行用の本パスワードに変換するので、前記コンピュータシステムの前記記憶部に記憶してなる前記第１乱数表に個人情報番号を特定して前記第２乱数表を抽出することにより、第１乱数表より抽出される第２乱数表を第三者が抽出することは難しく、しかも、本パスワードが簡単に解明されることがなく、キャッシュカード、クレジットカードなどが紛失や盗難によって不正利用されることを防止することができる。
【手続補正５】
【補正対象書類名】明細書
【補正対象項目名】００１４
【補正方法】変更
【補正の内容】
【００１４】
また、前記個人情報番号にて特定した前記横番号と前記縦番号を前記コンピュータシステムの前記記憶部に蓄積し、前記記憶部に蓄積された前記横番号と前記縦番号の有無を判定して前記横番号と前記縦番号とは異なる横番号と縦番号により、前記第１乱数表から新たな更新用第２乱数表を抽出し、この更新用第２乱数表を基にして前記本パスワードを更新するので、本パスワードの更新が定期的に要求されても、簡単に更新をすることができ、しかも、更新後の本パスワードが更新前のものと類似しないことを要求されても、容易に本パスワードの変更でき、結果的に情報の安全性が向上する。
【手続補正６】
【補正対象書類名】明細書
【補正対象項目名】００１５
【補正方法】変更
【補正の内容】
【００１５】
さらに、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、
実行用の本パスワードとして前記記憶部に記憶し、すでに記憶されている前記横番号と前記縦番号を入力して前記記憶部５より前記第２乱数表を抽出し、この第２乱数表に予め決めた覚え易い数桁の前記仮パスワードを入力して前記第２乱数表の前記主番号を特定するとともに、前記記憶部に記憶していた十二桁の前記本パスワードを入力し、この十二桁を複数に分けて、前記本パスワードの一桁毎を前記従番号に特定し、この従番号の横列と前記主番号の縦列との交差部の数値を前記マイナンバーとして前記コンピュータシステムの表示部に出力するので、長いマイナンバーを覚えたり手帳にメモして持ち歩いたりする必要がなく、また、第１乱数表より抽出される第２乱数表を第三者が抽出することは難しいとともに、本パスワードが簡単に解読されることがなく、紛失した手帳やメモを他人に見られて悪用されたりする不都合が軽減され、情報の安全を確保することができ、しかも、長いマイナンバーを覚えたり手帳にメモして持ち歩いたりする必要がなくなる。



【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、これを実行用の本パスワードとして前記記憶部に記憶し、
さらに、すでに記憶されている前記横番号と前記縦番号を入力して前記記憶部より前記第２乱数表を抽出し、この第２乱数表に予め決めた覚え易い数桁の前記仮パスワードを入力して前記第２乱数表の前記主番号を特定するとともに、前記記憶部に記憶していた十二桁の前記本パスワードを入力し、この十二桁を複数に分けて、前記本パスワードの一桁毎を前記従番号に特定し、この従番号の横列と前記主番号の縦列との交差部の数値を前記マイナンバーとして前記コンピュータシステムの表示部に出力することを特徴とする情報処理端末用のパスワード設定方法。
【手続補正２】
【補正対象書類名】明細書
【補正対象項目名】００１０
【補正方法】変更
【補正の内容】
【００１０】
請求項１に記載の発明は、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、これを実行用の本パスワードとして前記記憶部に記憶し、
さらに、すでに記憶されている前記横番号と前記縦番号を入力して前記記憶部より前記第２乱数表を抽出し、この第２乱数表に予め決めた覚え易い数桁の前記仮パスワードを入力して前記第２乱数表の前記主番号を特定するとともに、前記記憶部に記憶していた十二桁の前記本パスワードを入力し、この十二桁を複数に分けて、前記本パスワードの一桁毎を前記従番号に特定し、この従番号の横列と前記主番号の縦列との交差部の数値を前記マイナンバーとして前記コンピュータシステムの表示部に出力することを特徴とする情報処理端末用のパスワード設定方法である。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
この発明では、横辺の０〜９以上を横番号とし、縦辺の０〜９以上を縦番号とし、前記横番号と前記縦番号とに対応する行列の各行と各列に、０〜９の数字のいずれかと適宜な英文字の組合せの前記０〜９を含む文字集合を配置する第１乱数表を情報処理端末に内蔵するコンピュータシステムのデータ処理部の編集機能により作成し、前記コンピュータシステムの記憶部に記憶してなり、
前記記憶部より取出した第１乱数表の前記横番号と前記縦番号のそれぞれを数桁よりなる個人情報番号にて特定し、この特定した前記横番号と前記縦番号の交差部より横辺に０〜９の主番号を設定し、縦辺に０〜９の従番号を設定してなる第２乱数表を前記第１乱数表より抽出するとともに、前記個人情報番号より特定した前記横番号と前記縦番号とを前記コンピュータシステムの前記記憶部に蓄積し、
前記第２乱数表に予め決めた覚え易い数桁の仮パスワードを入力して前記第２乱数表の前記主番号を特定するとともに、十二桁のマイナンバーを入力し、この十二桁を複数に分けて、前記マイナンバーの一桁毎を前記主番号の文字集合の縦列より検索し、前記主番号の縦列との交差部になる前記従番号を特定し、
実行用の本パスワードとして前記記憶部に記憶し、すでに記憶されている前記横番号と前記縦番号を入力して前記記憶部５より前記第２乱数表を抽出し、この第２乱数表に予め決めた覚え易い数桁の前記仮パスワードを入力して前記第２乱数表の前記主番号を特定するとともに、前記記憶部に記憶していた十二桁の前記本パスワードを入力し、この十二桁を複数に分けて、前記本パスワードの一桁毎を前記従番号に特定し、この従番号の横列と前記主番号の縦列との交差部の数値を前記マイナンバーとして前記コンピュータシステムの表示部に出力するので、長いマイナンバーを覚えたり手帳にメモして持ち歩いたりする必要がなく、また、第１乱数表より抽出される第２乱数表を第三者が抽出することは難しいとともに、本パスワードが簡単に解読されることがなく、紛失した手帳やメモを他人に見られて悪用されたりする不都合が軽減され、情報の安全を確保することができ、しかも、長いマイナンバーを覚えたり手帳にメモして持ち歩いたりする必要がなくなる。

【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】